(57)【要約】      （修正有）【課題】試験容器におけるスクリューキャップの開閉を容易に実行でき、また、操作時にはスクリューキャップを一時的に保持しておくことが可能な試験容器のキャップ開閉装置を提供する。【解決手段】ベース部材１１の一端は下方に屈曲され、その外側に第１ガイド面２１が形成されている。また、移動部材１２の一端も下方に屈曲され、その内側に第２ガイド面２２が形成されている。これらの第１ガイド面２１と第２ガイド面２２とは、互いに、平行に配置されている。ベース部材１１における第１ガイド面２１には、シリコーン製の管状部材であるシリコーンチューブ１６が配設されている。【選択図】図７
0003192724.tif 000002
【実用新案登録請求の範囲】
【請求項１】
一端に開口部が形成され他端が閉鎖された筒状部材から構成され、前記開口部側の外周部にネジ部が形成された容器本体と、前記容器本体のネジ部と螺合するネジ部を備え、前記開口部を覆うスクリューキャップと、を有する試験容器のキャップ開閉装置であって、
一方向に伸びる第１ガイド面と、
前記第１ガイド面と平行に配設された第２ガイド面と、
前記第１ガイド面に対し、前記第２ガイド面との距離が前記スクリューキャップの外径より小さくなる状態で配設され、前記スクリューキャップに対して前記第２ガイド面より大きな摩擦力を発生させる弾性部材と、
を備えたことを特徴とする試験容器のキャップ開閉装置。
【請求項２】
一端に開口部が形成され他端が閉鎖された筒状部材から構成され、前記開口部側の外周部にネジ部が形成された容器本体と、前記容器本体のネジ部と螺合するネジ部を備え、前記開口部を覆うスクリューキャップと、を有する試験容器のキャップ開閉装置であって、
一方向に伸びる第１ガイド面を有するベース部材と、
前記ベース部材を支持する支持部材と、
前記第１ガイド面と平行に配設された第２ガイド面を備え、前記第１ガイド面と前記第２ガイド面との距離を変更可能な状態で前記ベース部材に対して配設される移動部材と、
前記第１ガイド面に配設され、前記スクリューキャップに対して前記第２ガイド面より大きな摩擦力を発生させる弾性部材と、
を備えたことを特徴とする試験容器のキャップ開閉装置。
【請求項３】
請求項２に記載の試験容器のキャップ開閉装置において、
前記ベース部材は、前記支持部材に対して前記第１ガイド面と平行な軸を中心に揺動自在に配設される試験容器のキャップ開閉装置。
【請求項４】
請求項２または請求項３に記載の試験容器のキャップ開閉装置において、
前記ベース部材は、前記第１ガイド面と交差する方向に延びる第３ガイド面をさらに備え、
前記第３ガイド面には、前記スクリューキャップに対して前記第２ガイド面より大きな摩擦力を発生させる弾性部材が配設される試験容器のキャップ開閉装置。
【請求項５】
請求項２から請求項４のいずれかに記載の試験容器のキャップ開閉装置において、
前記支持部材をテーブルに固定するための固定部材を備える試験容器のキャップ開閉装置。
【請求項６】
請求項１から請求項５のいずれかに記載の試験容器のキャップ開閉装置において、
前記弾性部材は、樹脂製のチューブにより構成され、
前記チューブ内に挿入された板状部材と、
前記板状部材を前記第１ガイド面に固定するための固定部材と、
をさらに備える試験容器のキャップ開閉装置。
【考案の詳細な説明】
【技術分野】
【０００１】
この考案は、遠沈管等の試験容器のキャップ開閉装置に関する。
【背景技術】
【０００２】
生化学試験等の各種の試験においては、試薬や検体等を希釈、攪拌、遠心分離または保存する目的で、遠沈管等の試験容器が使用されている。この試験容器は、上端に開口部が形成され下端が閉鎖された筒状部材から構成され、開口部側の外周部にネジ部が形成された容器本体と、この容器本体のネジ部と螺合するネジ部を備え、容器本体の開口部を覆うスクリューキャップとを備える。一般的に、遠沈管の容器本体は、底部が円錐状に下降されたコニカルチューブや、底部が丸底に加工された丸底チューブが使用され、この上端開口部をスクリューキャップで封止する構成を有する。
【０００３】
この遠沈管を操作する場合、利き手が右手のオペレータの場合には、一般的には、オペレータが左手の手のひらと中指、薬指および小指で容器本体を把持し、親指と人差し指とでスクリューキャップを回転させて、スクリューキャップを開放する。そして、容器本体の開口部を露出させるときには、スクリューキャップの汚染を防止するため、オペレータは、スクリューキャップを左手の親指と人差し指で把持している。この状態において、オペレータは右手に持ったピペット等を利用して、容器本体の上部開口部を介して薬液を注入し、また、容器本体内の内容物を採取する。しかる後、左手の親指と人差し指とで把持したスクリューキャップを容器本体の開口部上に移動させ、左手の親指と人差し指でスクリューキャップを回転させることにより、容器本体上部の開口部を密閉する。
【０００４】
このような作業を行うには、オペレータの熟練が必要となる。また、多くの実験を連続して実行する場合には、利き手が右手のオペレータの場合には、左手の疲労が激しく、また、それによるミスも発生しやすいという問題がある。
【０００５】
このため、上部に開口部を有する本体と、この本体の上部開口部を封止する栓体とを含み、この栓体がヒンジを介して開閉可能の設けられた第１および第２の蓋材で構成された生化学試験容器が提案されている（特許文献１参照）。
【先行技術文献】
【特許文献】
【０００６】
【特許文献１】特開２００７号−２３２３９９公報
【考案の開示】
【考案が解決しようとする課題】
【０００７】
上述した特許文献１に記載の生化学試験容器は、密閉性について信頼性を得られていないためか、本考案が属する技術分野の業界においては、一般的には採用されていない。このため、現時点においても上述したスクリューキャップと容器本体とを備えた一般的な試験容器が広く採用されており、その操作性を向上させることが要請されている。
【０００８】
この考案は上記課題を解決するためになされたものであり、試験容器におけるスクリューキャップの開閉を容易に実行でき、また、操作時にはスクリューキャップを一時的に保持しておくことが可能な試験容器のキャップ開閉装置を提供することを目的とする。
【課題を解決するための手段】
【０００９】
請求項１に記載の考案は、一端に開口部が形成され他端が閉鎖された筒状部材から構成され、前記開口部側の外周部にネジ部が形成された容器本体と、前記容器本体のネジ部と螺合するネジ部を備え、前記開口部を覆うスクリューキャップと、を有する試験容器のキャップ開閉装置であって、一方向に伸びる第１ガイド面と、前記第１ガイド面と平行に配設された第２ガイド面と、前記第１ガイド面に対し、前記第２ガイド面との距離が前記スクリューキャップの外径より小さくなる状態で配設され、前記スクリューキャップに対して前記第２ガイド面より大きな摩擦力を発生させる弾性部材と、を備えたことを特徴とする。
【００１０】
請求項２に記載の考案は、一端に開口部が形成され他端が閉鎖された筒状部材から構成され、前記開口部側の外周部にネジ部が形成された容器本体と、前記容器本体のネジ部と螺合するネジ部を備え、前記開口部を覆うスクリューキャップと、を有する試験容器のキャップ開閉装置であって、一方向に伸びる第１ガイド面を有するベース部材と、前記ベース部材を支持する支持部材と、前記第１ガイド面と平行に配設された第２ガイド面を備え、前記第１ガイド面と前記第２ガイド面との距離を変更可能な状態で前記ベース部材に対して配設される移動部材と、前記第１ガイド面に配設され、前記スクリューキャップに対して前記第２ガイド面より大きな摩擦力を発生させる弾性部材と、を備えたことを特徴とする。
【００１１】
請求項３に記載の考案は、請求項２に記載の考案において、前記ベース部材は、前記支持部材に対して前記第１ガイド面と平行な軸を中心に揺動自在に配設される。
【００１２】
請求項４に記載の考案は、請求項２または請求項３に記載の考案において、前記ベース部材は、前記第１ガイド面と交差する方向に延びる第３ガイド面をさらに備え、前記第３ガイド面には、前記スクリューキャップに対して前記第２ガイド面より大きな摩擦力を発生させる弾性部材が配設される。
【００１３】
請求項５に記載の考案は、請求項２から請求項４のいずれかに記載の交換において、前記支持部材をテーブルに固定するための固定部材を備える。
【００１４】
請求項６に記載の考案は、請求項１から請求項５のいずれかに記載の考案において、前記弾性部材は、樹脂製のチューブにより構成され、前記チューブ内に挿入された板状部材と、前記板状部材を前記第１ガイド面に固定するための固定部材と、をさらに備える。
【考案の効果】
【００１５】
請求項１および請求項２に記載の考案によれば、試験容器のスクリューキャップを開放するときには、スクリューキャップを弾性部材と第２ガイド面との間に挿入して容器本体を横方向に移動させることにより、スクリューキャップを容器本体から取り外すことができる。そして、スクリューキャップは、弾性部材と第２ガイド面とに挟持されて保持される。また、スクリューキャップを容器本体に装着するときには、容器本体を弾性部材と第２ガイド面とに挟持されて保持されているスクリューキャップの下方に配置した後、解放時とは逆方向に移動させることにより、スクリューキャップを容器本体に装着することができる。このため、容器本体を横方向に移動させるだけで、スクリューキャップの開閉動作を実行することができ、また、開放されたスクリューキャップを清浄な状態で保持することが可能となる。
【００１６】
請求項２に記載の考案によれば、スクリューキャップの外径が異なる試験容器に対しても、その開閉動作を容易に実行することが可能となる。
【００１７】
請求項３に記載の考案によれば、弾性部材と第２ガイド面とを、操作に適した角度位置に配置することが可能となる。
【００１８】
請求項４に記載の考案によれば、第１ガイド面に配設された弾性部材と第３ガイド面に配設された弾性部材とをスクリューキャップに当接させて容器本体を回転させることにより、スクリューキャップをより強固に容器本体に装着させ、あるいは、容器本体に強固に装着されたスクリューキャップを開放することが可能となる。
【００１９】
請求項５に記載の考案によれば、試験容器のキャップ開閉装置をテーブルに固定した状態で、スクリューキャップの開閉作業を容易に実行することが可能となる。
【００２０】
請求項６に記載の考案によれば、弾性部材を、強固かつ清浄な状態で、第１ガイド面に装着することができ、また、弾性部材の耐久性を向上させることが可能となる。
【図面の簡単な説明】
【００２１】
【図１】試験容器としての遠沈管１００の斜視図である。
【図２】この考案の第１実施形態に係る試験容器のキャップ開閉装置の斜視図である。
【図３】この考案の第１実施形態に係る試験容器のキャップ開閉装置の平面図である。
【図４】この考案に係る試験容器のキャップ開閉装置の側面図である。
【図５】この考案に係る試験容器のキャップ開閉装置の側面図である。
【図６】この考案に係る試験容器のキャップ開閉装置を下方から見た状態を示す部分斜視図である。
【図７】この考案の第１実施形態に係る試験容器のキャップ開閉装置における第１ガイド面２１と第２ガイド面２２等の配置関係を示す断面概要図である。
【図８】この考案の第２実施形態に係る試験容器のキャップ開閉装置の斜視図である。
【図９】この考案の第３実施形態に係る試験容器のキャップ開閉装置の斜視図である。
【図１０】この考案の第４実施形態に係る試験容器のキャップ開閉装置の斜視図である。
【考案を実施するための形態】
【００２２】
以下、この考案の実施の形態を図面に基づいて説明する。最初に、この考案で使用される試験容器の構成について説明する。図１は、この考案で使用される試験容器としての遠沈管１００の斜視図である。
【００２３】
この遠沈管１００は、遠心分離機を用いた実験や臨床検査などに使用されるガラスまたはプラスチック製の試験容器である。この遠沈管１００のうち、底部が円錐状で尖っているものは、スピッツ等とも呼称される。この遠沈管１００は、上端に開口部が形成され下端が閉鎖された筒状部材から構成され、開口部側の外周部にネジ部が形成された透光性部材よりなる容器本体１０２と、この容器本体１０２のネジ部と螺合するネジ部を備え、容器本体１０２の開口部を覆うスクリューキャップ１０１から構成される。実験や試験時においては、利き手が右手のオペレータの場合には、オペレータはこの遠沈管１００を左手に、また、ピペットを右手に持った状態で、容器本体１０２の上部開口部を介して薬液を注入し、また、容器本体１０２内の内容物を採取する。
【００２４】
次に、この考案に係る試験容器のキャップ開閉装置の構成について説明する。図２は、この考案の第１実施形態に係る試験容器のキャップ開閉装置の斜視図であり、図３は、その平面図である。また、図４および図５は、この考案に係る試験容器のキャップ開閉装置の側面図である。また、図６は、この考案に係る試験容器のキャップ開閉装置を下方から見た状態を示す部分斜視図である。さらに、図７は、この考案の第１実施形態に係る試験容器のキャップ開閉装置における第１ガイド面２１と第２ガイド面２２等の配置関係を示す断面概要図である。
【００２５】
この試験容器のキャップ開閉装置は、一対の支柱１３および基台１５からなる支持部材に支持されたベース部材１１と、このベース部材１１に対して移動可能に配設された移動部材１２とを備える。移動部材１２には、一対のスリット状の開口部３１が穿設されており、これらの開口部３１にはベース部材１１に螺合する一対の間隔調整ネジ３２が配設されている。このため、一対の間隔調整ネジ３２を緩めることにより、移動部材１２はスリット状の開口部３１の長手方向に移動可能となり、一対の間隔調整ネジ３２を締めることにより移動部材１２はベース部材１１に対して固定される。なお、これらのベース部材１１、移動部材１２、支柱１３および基台１５は、ステンレス等の金属から構成されている。但し、これらの部材を、耐熱性および耐薬品性を有し、一定以上の強度を有する樹脂により構成してもよい。
【００２６】
支柱１３とともに支持部材を構成する矩形状の基台１５の４個の角部には、各々、この考案に係る固定部材としての吸盤３９が配設されている。この吸盤３９により、この考案に係る試験容器のキャップ開閉装置をテーブルに固定することが可能となる。なお、吸盤３９を利用してこの考案に係る試験容器のキャップ開閉装置をテーブルに固定する代わりに、ドラフトチャンバなどに固定するようにしてもよい。また、吸盤３９の代わりに、バイス等の固定部材を使用してもよい。
【００２７】
図６に示すように、ベース部材１１の下面には、一対のブロック３３が配設されている。また、一対の支柱１３間には、ロッド３４が配設されている。このロッド３４は、一対のブロック３３に形成された貫通孔を貫通している。このため、ベース部材１１は、ロッド３４を中心に揺動自在となっている。また、各ブロック３３には、仰角調整ネジ３５が配設されている。一対の仰角調整ネジ３５を緩めることにより、ベース部材１１はロッド３４を中心に揺動可能となり、一対の仰角調整ネジ３５を締めることによりベース部材１１はロッド３４に対して固定される。このため、これらの仰角調整ネジ３５を調整することにより、ベース部材１１は、移動部材１２とともに、図４に示す水平姿勢や、図５に示す傾斜姿勢をとることが可能となる。
【００２８】
図３、図６および図７に示すように、ベース部材１１の一端は下方に屈曲され、その外側に第１ガイド面２１が形成されている。また、移動部材１２の一端も下方に屈曲され、その内側に第２ガイド面２２が形成されている。これらの第１ガイド面２１と第２ガイド面２２とは、互いに、平行に配置されている。なお、この明細書で述べる「平行」とは、第１ガイド面２１と第２ガイド面２２とが完全に平行であることを要求するものではない。この明細書で述べる「平行」とは、後述するスクリューキャップ１０１の開放に支障をきたさない程度の平行度であればよい。
【００２９】
ベース部材１１における第１ガイド面２１には、シリコーン製の管状部材であるシリコーンチューブ１６が配設されている。このシリコーンチューブ１６は、金属製の移動部材１２における第２ガイド面２２より大きな摩擦力を発生させるこの考案に係る弾性部材として機能する。このシリコーンチューブ１６内には、金属製の板状部材１７が挿入されており、その両端はシリコーンチューブ１６の端部より突出している。そして、板状部材１７の両端のシリコーンチューブ１６より突出した領域は、止着部材としてのネジ４１により、ベース部材１１の第１ガイド面２１に対して止着されている。これにより、シリコーンチューブ１６を第１ガイド面２１に対して、強固に止着することが可能となる。
【００３０】
図７に示すように、シリコーンチューブ１６と移動部材１２における第２ガイド面２２との距離ｄは、遠沈管１００におけるスクリューキャップ１０１の外径Ｄよりも小さくなっている。また、移動部材１２における第２ガイド面２２の上下方向の大きさ(高さ)ｈは、スクリューキャップ１０１の上下方向の大きさ（高さ）Ｈより小さくなっている。さらに、移動部材１２の下面とシリコーンチューブ１６の上下方向の中央部との距離ｈ１も、スクリューキャップ１０１の上下方向の大きさ（高さ）Ｈより小さくなっている。
【００３１】
ベース部材１１には、第１ガイド面２１と交差する方向に延びる第３ガイド面を構成する締め付け金具１４が付設されている。この締め付け金具１４により構成される第３ガイド面と第１ガイド面２１との交差角度は、鋭角となっている。そして、この締め付け金具１４により構成される第３ガイド面には、上述したシリコーンチューブ１６と同様のシリコーンチューブ１８が配設されている。このシリコーンチューブ１８内には、シリコーンチューブ１６と同様、金属製の板状部材１９が挿入されており、その両端はシリコーンチューブ１８の端部より突出している。そして、板状部材１９の両端のシリコーンチューブ１８より突出した領域は、ネジ４２により、締め付け金具１４の第３ガイド面に対して止着されている。
【００３２】
次に、以上のような構成を有する試験容器のキャップ開閉装置により遠沈管１００におけるスクリューキャップ１０１を開閉する開閉動作について説明する。
【００３３】
上述したように、右手が利き手のオペレータの場合、実験や試験時においては、遠沈管１００を左手に持った状態で、作業を行う。このときには、オペレータは、遠沈管１００の容器本体１０２を把持した状態で、スクリューキャップ１０１を、図３において符号１０１（Ａ）で示す、シリコーンチューブ１６と当接する位置に配置する。そして、オペレータは、遠沈管１００を図３に示す右方向に移動させる。これにより、遠沈管１００におけるスクリューキャップ１０１の外周面は、移動部材１２における第２ガイド面２２と、ベース部材１１の第１ガイド面２１に固定されたシリコーンチューブ１６との両方に当接することになる。
【００３４】
なお、このときには、予め、図６に示す一対の仰角調整ネジ３５を操作して、ベース部材１１を、ロッド３４を中心に揺動させることにより、ベース部材１１を、移動部材１２とともに、図４に示す水平姿勢と図５に示す傾斜姿勢との間の、オペレータが最も操作しやすい角度位置に配置しておく。
【００３５】
この状態で、遠沈管１００を図３に示す右方向に移動させた場合には、上述したように、シリコーンチューブ１６が金属製の移動部材１２における第２ガイド面２２より大きな摩擦力を発生させることから、遠沈管１００の移動に伴ってスクリューキャップ１０１が平面視において反時計回り方向、すなわち、スクリューキャップ１０１が開放される方向に回転する。そして、シリコーンチューブ１６の長手方向の長さは、スクリューキャップ１０１が開放されるだけの寸法であることから、スクリューキャップ１０１が図３において符号１０１（Ｂ）で示す位置に到達したときには、スクリューキャップ１０１は、遠沈管１００の容器本体１０２より開放され、オペレータが容器本体１０２を下方に移動させることにより、スクリューキャップ１０１と容器本体１０２とが分離する。
【００３６】
そして、上述したように、シリコーンチューブ１６と移動部材１２における第２ガイド面２２との距離ｄは、遠沈管１００におけるスクリューキャップ１０１の外径Ｄよりも小さくなっていることから、スクリューキャップ１０１は、シリコーンチューブ１６と第２ガイド面２２に挟持され、そのままの状態で保持される。このため、オペレータは、スクリューキャップ１０１を親指と人差し指とで保持する必要がなくなり、遠沈管１００における容器本体１０２のみを保持して、必要な作業を実行することが可能となる。
【００３７】
遠沈管１００を使用した作業が終了すれば、オペレータは、遠沈管１００における容器本体１０２をスクリューキャップ１０１の下方に配置する。このときには、上述したように、移動部材１２における第２ガイド面２２の上下方向の大きさ(高さ)ｈが、スクリューキャップ１０１の上下方向の大きさ（高さ）Ｈより小さくなっていることから、スクリューキャップ１０１の下端が移動部材１２における第２ガイド面２２の下端部より下方に配置されることから、オペレータは、目視により容易にスクリューキャップ１０１の位置を確認することができる。
【００３８】
なお、スクリューキャップ１０１の位置の確認を容易にするため、移動部材１２の第２ガイド面２２や、移動部材１２における上面に、スクリューキャップ１０１の位置を確認するためのスリット状の開口部を穿設し、この開口部を介してスクリューキャップ１０１の位置を確認するようにしてもよい。
【００３９】
遠沈管１００における容器本体１０２をスクリューキャップ１０１の下方に配置し、容器本体１０２の上端をスクリューキャップ１０１内に侵入させた後、オペレータは、遠沈管１００の容器本体１０２を左手で持った状態で、図３に示す左方向に移動させる。このときにも、シリコーンチューブ１６が金属製の移動部材１２における第２ガイド面２２より大きな摩擦力を発生させることから、遠沈管１００の移動に伴ってスクリューキャップ１０１が平面視において時計回り方向、すなわち、スクリューキャップ１０１が閉止される方向に回転する。そして、シリコーンチューブ１６の長手方向の長さは、スクリューキャップ１０１が閉止されるだけの寸法であることから、スクリューキャップ１０１が図３において符号１０１（Ａ）で示す位置に到達したときには、スクリューキャップ１０１は、遠沈管１００の容器本体１０２を閉止する状態で螺合されることになる。
【００４０】
なお、スクリューキャップ１０１の開放時に、スクリューキャップ１０１が容器本体１０２に対して強固に締め付けられている場合がある。このような場合には、最初に、オペレータはスクリューキャップ１０１を図３において符号１０１（Ｃ）に示す位置に配置する。そして、スクリューキャップ１０１の外周面を、互いに鋭角で配置されたシリコーンチューブ１６とシリコーンチューブ１８とに当接させた状態で、容器本体１０２をスクリューキャップ１０１が開放させる方向に回転させる。これにより、スクリューキャップ１０１が強固に締め付けられていた場合においても、これを容易に緩めることが可能となる。そして、上述した動作と同様の動作により、スクリューキャップ１０１を開放することが可能となる。
【００４１】
また、スクリューキャップ１０１の閉止時に、スクリューキャップ１０１をより強固に閉止したい場合においても、スクリューキャップ１０１の外周面を、互いに鋭角で配置されたシリコーンチューブ１６とシリコーンチューブ１８とに当接させた状態で、容器本体１０２を、スクリューキャップ１０１を閉止させる方向に回転させる。これにより、スクリューキャップ１０１をより強固に容器本体に装着することが可能となる。
【００４２】
以上のように、この考案に係る試験容器のキャップ開閉装置によれば、容器本体１０２とスクリューキャップ１０１との着脱動作を、熟練を要することなく容易に実行することができ、また、繰り返しスクリューキャップ１０１の着脱動作を行う場合においても、オペレータの疲労を軽減することができる。さらに、容器本体１０２から分離されたスクリューキャップ１０１は、シリコーンチューブ１６と第２ガイド面２２に挟持され、そのままの状態で保持されることから、オペレータは、遠沈管１００における容器本体１０２のみを保持して、必要な作業に集中することが可能となる。また、スクリューキャップ１０１が汚染されることもない。
【００４３】
なお、上述した試験容器のキャップ開閉装置は、シリコーンチューブ１６、１８および吸盤３９をのぞき、ステンレス等の金属から構成されている。このため、装置全体を堅牢なものとすることができ、また、アルコールによる清掃等を行うことができ、清浄な状態で使用することが可能となる。
【００４４】
次に、この考案の他の実施形態について説明する。図８は、この考案の第２実施形態に係る試験容器のキャップ開閉装置の斜視図である。なお、上述した第１実施形態と同様の機能を有する部材については、同様の符号を付して詳細な説明を省略する。
【００４５】
上述した第１実施形態に係る試験容器のキャップ開閉装置は、主として、利き手が右手であり、左手に遠沈管１００を把持してスクリューキャップ１０１の開閉を実行する場合に、オペレータが左手側から身体の中央部付近に向けて遠沈管１００の容器本体１０２を移動させることによりスクリューキャップ１０１を開放し、右手に持ったピペット等を利用して、容器本体の上部開口部を介して薬液を注入し、また、容器本体内の内容物を採取した後、オペレータが身体の中央部付近から左手側に向けて遠沈管１００の容器本体１０２を移動させることによりスクリューキャップ１０１を閉止している。これにより、右手が利き手のオペレータが、試験中に自然な動作でスクリューキャップ１０１の開閉を実行することができる。
【００４６】
これに対して、図８に示す試験容器のキャップ開閉装置は、利き手が左手のオペレータを対象としたものである。この第２実施形態に係る試験容器のキャップ開閉装置においては、オペレータが右手に遠沈管１００を把持した状態で、右手側から身体の中央部付近に向けて遠沈管１００の容器本体１０２を移動させることによりスクリューキャップ１０１を開放し、左手に持ったピペット等を利用して、容器本体の上部開口部を介して薬液を注入し、また、容器本体内の内容物を採取した後、オペレータが身体の中央部付近から右手側に向けて遠沈管１００の容器本体１０２を移動させることによりスクリューキャップ１０１を閉止している。これにより、左手が利き手のオペレータが、試験中に自然な動作でスクリューキャップ１０１の開閉を実行することができる。
【００４７】
次に、この考案のさらに他の実施形態について説明する。図９は、この考案の第３実施形態に係る試験容器のキャップ開閉装置の斜視図である。なお、上述した第１、第２実施形態と同一または同様の機能を有する部材については、同一の符号を付して詳細な説明を省略する。
【００４８】
一般的に、遠沈管１００は、１９ｍｍと３０ｍｍなど、数種の外径を有する。このため、この第３実施形態に係る試験容器のキャップ開閉装置においては、遠沈管１００の外径に合わせて二種類のスクリューキャップ１０１の開放部を互いに逆方向に配設している。これら二種類のスクリューキャップ１０１の開放部においては、図７に示すシリコーンチューブ１６と移動部材１２における第２ガイド面２２との距離ｄを互いに異ならせている。
【００４９】
この第３実施形態に係る試験容器のキャップ開閉装置によれば、装置本体の方向を１８０度変更するだけで、異なるサイズの遠沈管１００のスクリューキャップ１０１の開閉動作を実行することが可能となる。
【００５０】
なお、この実施例において、使用する遠沈管１００の外径が二種類に固定されている場合には、移動部材１２をベース部材１１に対して固定して、シリコーンチューブ１６と移動部材１２における第２ガイド面２２との距離ｄを変更しない構成としてもよい。
【００５１】
次に、この考案のさらに他の実施形態について説明する。図１０は、この考案の第４実施形態に係る試験容器のキャップ開閉装置の斜視図である。なお、上述した第１、第２、第３実施形態と同一または同様の機能を有する部材については、同一の符号を付して詳細な説明を省略する。
【００５２】
この第４実施形態に係る試験容器のキャップ開閉装置は、利き手が右手であるオペレータ用のスクリューキャップ１０１の開放部と利き手が左手であるオペレータ用のスクリューキャップ１０１の開放部とを、互いに逆方向に配置している。
【００５３】
この第４実施形態に係る試験容器のキャップ開閉装置によれば、装置本体の方向を１８０度変更するだけで、利き手が右手のオペレータと利き手が左手のオペレータとの両者が、遠沈管１００のスクリューキャップ１０１の開閉動作を容易に実行することが可能となる。
【００５４】
なお、上述した実施形態においては、試験容器として遠沈管１００を使用した場合について説明したが、一端に開口部が形成され他端が閉鎖された筒状部材から構成され開口部側の外周部にネジ部が形成された容器本体と、この容器本体のネジ部と螺合するネジ部を備え開口部を覆うスクリューキャップと、を有する試験容器であれば、遠沈管１００以外のものを使用してもよい。
【００５５】
また、上述した実施形態においては、ベース部材１１を支持部材としての一対の支柱１３および基台１５により支持しているが、ベース部材１１を、アタッチメントにより支持して壁面や薬品棚等に固定してもよい。また、ベース部材１１を、支持部材として機能するネジ等により壁面や薬品棚等に固定する構成を採用してもよい。
【００５６】
また、上述した実施形態においては、第３ガイド面を構成する締め付け金具１４にシリコーンチューブ１８を付設した構成を採用しているが、これらを省略し、スクリューキャップ１０１の開放開始時と閉止終了時には、オペレータが指を使用してスクリューキャップ１０１を回転させてもよい。
【００５７】
さらに、使用する試験容器のサイズが一定である場合には、移動部材１２とベース部材１１とを一体化して、シリコーンチューブ１６と移動部材１２における第２ガイド面２２との距離ｄを変更しない構成としてもよい。
【符号の説明】
【００５８】
１１      ベース部材
１２      移動部材
１３      支柱
１４      締め付け金具
１５      基台
１６      シリコーンチューブ
１７      板状部材
１８      シリコーンチューブ
１９      板状部材
２１      第１ガイド面
２２      第２ガイド面
３１      開口部
３２      間隔調整ネジ
３３      ブロック
３４      ロッド
３５      仰角調整ネジ
３９      吸盤
４１      ネジ
４２      ネジ
１００    遠沈管
１０１    スクリューキャップ
１０２    容器本体
【図１】
0003192724.tif 000003
【図２】
0003192724.tif 000004
【図３】
0003192724.tif 000005
【図４】
0003192724.tif 000006
【図５】
0003192724.tif 000007
【図６】
0003192724.tif 000008
【図７】
0003192724.tif 000009
【図８】
0003192724.tif 000010
【図９】
0003192724.tif 000011
【図１０】
0003192724.tif 000012